(57)【特許請求の範囲】
【請求項１】
コネクタ用ハウジング収容部を有するフレームと、
前記フレームに対して少なくとも一部が前記コネクタ用ハウジング収容部に挿入されるハウジング保持位置に保持されると共に導電性コンタクトを収容するコネクタ用ハウジングと
を備え、前記フレームの前記コネクタ用ハウジング収容部および前記コネクタ用ハウジングの一方は、前記コネクタ用ハウジングの挿入方向に対して直交する方向に延び且つ両端部が固定された梁形状を有する弾性変形可能なばね部と、前記ばね部の表面上に配置され且つ前記ばね部の中央部から前記コネクタ用ハウジングの挿入方向に延びる片持ち梁形状の弾性変形可能なランスと、前記ランスとは反対側の前記ばね部の表面に対向する対向壁部と、前記ばね部に形成された第１の干渉面と、前記第１の干渉面に対応して前記対向壁部に形成された第２の干渉面とを有し、
前記フレームの前記コネクタ用ハウジング収容部および前記コネクタ用ハウジングの他方は、前記コネクタ用ハウジングの挿入方向において前記ランスの先端部に対向するランス対向面を有し、
前記ランスの先端部が前記ランス対向面に引っ掛かることにより、前記フレームからの前記コネクタ用ハウジングの抜け止めがなされ、
前記コネクタ用ハウジングが前記ハウジング保持位置に保持されたときに、前記第１の干渉面と前記第２の干渉面は、互いに前記コネクタ用ハウジングの挿入方向および前記コネクタ用ハウジングの挿入方向に対して直交する方向においてそれぞれ互いに離れた位置にあり、
前記コネクタ用ハウジングと前記フレームの間に互いに引き離そうとする力が作用したときに、前記ランスの先端部が前記ランス対向面から力を受け、前記ばね部が前記ばね部の中心軸の周りに捻れると共に前記中心軸が撓むように弾性変形して、前記第１の干渉面が前記第２の干渉面に接触することにより、前記ばね部のさらなる変形が規制されることを特徴とするコネクタ。
【請求項２】
前記ばね部および前記ランスは、前記コネクタ用ハウジングの少なくとも一部を前記コネクタ用ハウジング収容部に挿入する際に弾性変形し、前記コネクタ用ハウジングが前記ハウジング保持位置に保持されたときに弾性変形が解除される請求項１に記載のコネクタ。
【請求項３】
前記第１の干渉面は、前記対向壁部に向けて前記ばね部に突出形成された第１の突起の一部からなり、前記第２の干渉面は、前記ばね部に向けて前記対向壁部に突出形成された第２の突起の一部からなる請求項１または２に記載のコネクタ。
【請求項４】
前記第１の干渉面および前記第２の干渉面の一方は、前記コネクタ用ハウジングの挿入方向を向き、他方は、前記コネクタ用ハウジングの挿入方向とは反対方向を向いている請求項１〜３のいずれか一項に記載のコネクタ。
【請求項５】
前記フレームおよび前記コネクタ用ハウジングは、前記コネクタ用ハウジングが前記ハウジング保持位置に保持されたときに互いに突き当たることにより前記コネクタ用ハウジングの挿入方向への移動を規制するフレーム側ストッパおよびハウジング側ストッパをそれぞれ有する請求項１〜４のいずれか一項に記載のコネクタ。
【請求項６】
前記コネクタ用ハウジングは、前記コネクタ用ハウジングの挿入方向に垂直な面内で移動可能に前記ハウジング保持位置に保持される請求項１〜５のいずれか一項に記載のコネクタ。
【請求項７】
前記フレームは、接続対象物に固定するための固定部を有する請求項１〜６のいずれか一項に記載のコネクタ。
【発明の詳細な説明】
【技術分野】
【０００１】
この発明は、コネクタに係り、特に、導電性コンタクトを収容するコネクタ用ハウジングがフレームに保持された構造を有するコネクタに関する。
【背景技術】
【０００２】
この種のコネクタとして、例えば、特許文献１には、図１２に示されるようなコネクタ１が開示されている。コネクタ１は、フレーム２の収容孔３にコネクタ用ハウジング４が挿入されて保持された構造を有している。コネクタ用ハウジング４の外面上に突起５が形成されると共に、フレーム２には収容孔３内に突出してコネクタ用ハウジング４の挿入方向に延びるランス６が形成されている。フレーム２の収容孔３内へのコネクタ用ハウジング４の挿入に伴って、コネクタ用ハウジング４の突起５が収容孔３内のランス６を弾性変形させつつ前進し、コネクタ用ハウジング４の前面が収容孔３内の突き当たり面７に接触するまでコネクタ用ハウジング４が挿入されると、突起５がランス６を乗り越え、ランス６は弾性力により復元して収容孔３の内方に向かって開く。これにより、突起５がランス６に引っ掛かることで、フレーム２の収容孔３からコネクタ用ハウジング４が抜けることが防止される。
【０００３】
このコネクタ１のコネクタ用ハウジング４に、相手側コネクタ８のコネクタ用ハウジング９が嵌め合わされることで、コネクタ１のコネクタ用ハウジング４に装着されている図示しない導電性コンタクトと相手側コネクタ８のコネクタ用ハウジング９に装着されている図示しない導電性コンタクトとが互いに導電接続される。
【先行技術文献】
【特許文献】
【０００４】
【特許文献１】特開平８−１１５７６６号公報
【発明の概要】
【発明が解決しようとする課題】
【０００５】
しかしながら、フレーム２の収容孔３にコネクタ用ハウジング４を堅固に保持させるためには、コネクタ用ハウジング４の挿入方向に延びるランス６の長さを確保して、ランス６に十分な弾性変形を生じさせる必要があり、このため、コネクタ１の小型化を図ることが困難であった。
【０００６】
この発明は、このような従来の問題点を解消するためになされたもので、フレームにコネクタ用ハウジングを堅固に保持しながらも小型化を図ることができるコネクタを提供することを目的とする。
【課題を解決するための手段】
【０００７】
この発明に係るコネクタは、コネクタ用ハウジング収容部を有するフレームと、フレームに対して少なくとも一部がコネクタ用ハウジング収容部に挿入されるハウジング保持位置に保持されると共に導電性コンタクトを収容するコネクタ用ハウジングとを備え、フレームのコネクタ用ハウジング収容部およびコネクタ用ハウジングの一方は、コネクタ用ハウジングの挿入方向に対して直交する方向に延び且つ両端部が固定された梁形状を有する弾性変形可能なばね部と、ばね部の表面上に配置され且つばね部の中央部からコネクタ用ハウジングの挿入方向に延びる片持ち梁形状の弾性変形可能なランスと、ランスとは反対側のばね部の表面に対向する対向壁部と、ばね部に形成された第１の干渉面と、第１の干渉面に対応して対向壁部に形成された第２の干渉面とを有し、フレームのコネクタ用ハウジング収容部およびコネクタ用ハウジングの他方は、コネクタ用ハウジングの挿入方向においてランスの先端部に対向するランス対向面を有し、ランスの先端部がランス対向面に引っ掛かることにより、フレームからのコネクタ用ハウジングの抜け止めがなされ、コネクタ用ハウジングがハウジング保持位置に保持されたときに、第１の干渉面と第２の干渉面は、互いにコネクタ用ハウジングの挿入方向およびコネクタ用ハウジングの挿入方向に対して直交する方向においてそれぞれ互いに離れた位置にあり、コネクタ用ハウジングとフレームの間に互いに引き離そうとする力が作用したときに、ランスの先端部がランス対向面から力を受け、ばね部がばね部の中心軸の周りに捻れると共に中心軸が撓むように弾性変形して、第１の干渉面が第２の干渉面に接触することにより、ばね部のさらなる変形が規制されるものである。
【０００８】
ばね部およびランスは、コネクタ用ハウジングの少なくとも一部をコネクタ用ハウジング収容部に挿入する際に弾性変形し、コネクタ用ハウジングがハウジング保持位置に保持されたときに弾性変形が解除されることが好ましい。
【０００９】
第１の干渉面は、対向壁部に向けてばね部に突出形成された第１の突起の一部からなり、第２の干渉面は、ばね部に向けて対向壁部に突出形成された第２の突起の一部からなるように構成することができる。
また、第１の干渉面および第２の干渉面の一方は、コネクタ用ハウジングの挿入方向を向き、他方は、コネクタ用ハウジングの挿入方向とは反対方向を向いていることが好ましい。
【００１０】
フレームおよびコネクタ用ハウジングは、コネクタ用ハウジングがハウジング保持位置に保持されたときに互いに突き当たることによりコネクタ用ハウジングの挿入方向への移動を規制するフレーム側ストッパおよびハウジング側ストッパをそれぞれ有することが好ましい。
また、コネクタ用ハウジングは、コネクタ用ハウジングの挿入方向に垂直な面内で移動可能にハウジング保持位置に保持されることが好ましい。
さらに、フレームは、接続対象物に固定するための固定部を有することが好ましい。
【発明の効果】
【００１１】
この発明によれば、フレームのコネクタ用ハウジング収容部およびコネクタ用ハウジングの一方が、弾性変形可能なばね部と、ばね部の表面上に配置され且つばね部からコネクタ用ハウジングの挿入方向に延びる弾性変形可能なランスとを有し、他方が、コネクタ用ハウジングの挿入方向においてランスの先端部に対向するランス対向面を有し、ランスの先端部がランス対向面に引っ掛かることによりフレームからのコネクタ用ハウジングの抜け止めがなされるので、フレームにコネクタ用ハウジングを堅固に保持しながらも小型化を図ることが可能となる。
【図面の簡単な説明】
【００１２】
【図１】この発明の実施の形態に係るコネクタを示し、（Ａ）は斜視図、（Ｂ）は平面図、（Ｃ）は底面図、（Ｄ）は正面図である。
【図２】実施の形態に係るコネクタに用いられるフレームを示し、（Ａ）は斜視図、（Ｂ）は平面図、（Ｃ）は底面図、（Ｄ）は正面図である。
【図３】実施の形態に係るコネクタに用いられるフレームを示す一部破断斜視図である。
【図４】実施の形態に係るコネクタに用いられるフレームのばね部およびランスを示す部分拡大断面図である。
【図５】実施の形態に係るコネクタに用いられるコネクタ用ハウジングを示す斜視図である。
【図６】実施の形態に係るコネクタに用いられるコネクタ用ハウジングを示す断面図である。
【図７】実施の形態に係るコネクタの組み立て図である。
【図８】図１（Ｄ）のＡ−Ａ線断面図である。
【図９】コネクタ用ハウジングとフレームの間に互いに引き離そうとする力が作用したときの図８に相当する断面図である。
【図１０】実施の形態に係るコネクタに嵌合される相手側コネクタを示し、（Ａ）は斜視図、（Ｂ）は平面図である。
【図１１】相手側コネクタと嵌合状態にある実施の形態に係るコネクタを示し、（Ａ）は斜視図、（Ｂ）は平面図である。
【図１２】従来のコネクタを示す断面図である。
【発明を実施するための形態】
【００１３】
以下、この発明の実施の形態を添付図面に基づいて説明する。
図１（Ａ）〜（Ｄ）に、実施の形態に係るコネクタ１１の構成を示す。コネクタ１１は、嵌合を電気的に検知するためのコネクタであり、フレーム１２と、フレーム１２に保持されたコネクタ用ハウジング１３とを備えている。フレーム１２は、図示しない接続対象物に固定される板状部材で、中央部にほぼ矩形の貫通孔からなるコネクタ用ハウジング収容部１２Ａを有すると共に、コネクタ用ハウジング収容部１２Ａの両側に、接続対象物に固定するための一対の円形の貫通孔からなる固定部１２Ｂを有している。
【００１４】
コネクタ用ハウジング１３は、板状のフレーム１２に対して垂直方向に延びる柱状部材で、コネクタ用ハウジング１３の一部がフレーム１２のコネクタ用ハウジング収容部１２Ａに挿入されるハウジング保持位置Ｐに位置した状態でフレーム１２に保持されている。
ここで、便宜上、フレーム１２の一対の固定部１２Ｂを結ぶ方向をＸ方向、コネクタ用ハウジング１３が延びる方向をＺ方向、Ｘ方向およびＺ方向に直交する方向をＹ方向と呼ぶことにする。
【００１５】
図２（Ａ）〜（Ｄ）に、フレーム１２の構成を示す。フレーム１２は、コネクタ用ハウジング収容部１２Ａの＋Ｙ方向端部と−Ｙ方向端部に配置され、それぞれ、Ｘ方向に延び且つ両端部がフレーム１２に固定された弾性変形可能な一対の梁形状のばね部１４を有している。
また、それぞれのばね部１４の中央部の表面上に、コネクタ用ハウジング収容部１２Ａ内に向けてＹ方向に突出すると共に＋Ｚ方向に延びる弾性変形可能な片持ち梁形状のランス１５が形成されている。
さらに、フレーム１２は、それぞれのばね部１４に対応して、ランス１５とは反対側を向いたばね部１４のＹ方向の表面に対向する対向壁部１６を有している。
すなわち、フレーム１２は、＋Ｙ方向端部および−Ｙ方向端部に、それぞれ、Ｘ方向に延びるスリット１７を有し、このスリット１７により互いにＹ方向に対向するばね部１４と対向壁部１６とが形成され、対向壁部１６とは反対側のばね部１４の表面上にランス１５が形成されている。
【００１６】
また、フレーム１２には、コネクタ用ハウジング収容部１２Ａ内の＋Ｘ方向端部側および−Ｘ方向端部側に配置され且つ−Ｚ方向を向いた平面状のフレーム側ストッパ１８が形成されている。
図２（Ｂ）に示されるように、コネクタ用ハウジング収容部１２Ａ内の−Ｘ方向端部側に位置するフレーム側ストッパ１８は、中央部分で分断されることなくＹ方向に連続して延びているが、コネクタ用ハウジング収容部１２Ａ内の＋Ｘ方向端部側に位置するフレーム側ストッパ１８は、中央部分に切り欠き１８Ａを有しており、切り欠き１８Ａの＋Ｙ方向側と−Ｙ方向側とに分割されている。
【００１７】
図３に示されるように、ばね部１４の表面上に形成されているランス１５は、コネクタ用ハウジング収容部１２Ａ内に向けてＹ方向に突出すると共に＋Ｚ方向に延びる片持ち梁形状を有し、Ｘ方向に延びるばね部１４は両端部がフレーム１２に固定された梁形状を有している。このため、コネクタ用ハウジング収容部１２Ａ内に−Ｚ方向から＋Ｚ方向に向けてコネクタ用ハウジング１３を挿入する際に、ランス１５の自由端である先端部１５Ａがコネクタ用ハウジング１３に接触して対応する対向壁部１６に向かうＹ方向の力を受けると、ランス１５がＹ方向に弾性変形するだけでなく、ばね部１４がばね部１４に沿ってＸ方向に延びる中心軸Ｃ１を有するものと想定した場合に、ランス１５を支持しているばね部１４が、Ｘ方向に延びるばね部１４の中心軸Ｃ１の周りに捻れると共に中心軸Ｃ１がＹ方向に撓むように弾性変形する。従って、ランス１５のＺ方向長さが短くても、ランス１５の弾性変形とばね部１４の弾性変形が同時に発生することで、ランス１５の先端部１５Ａは、Ｙ方向に大きく変位することができる。
【００１８】
さらに、図４に示されるように、ばね部１４は、ランス１５とは反対側を向いた表面上に対向壁部１６に向けてＹ方向に突出形成された第１の突起１９を有し、一方、対向壁部１６は、ばね部１４に向けてＹ方向に突出形成された第２の突起２０を有している。これら第１の突起１９および第２の突起２０は、Ｘ方向において互いに同じ位置に配置され、第２の突起２０は、第１の突起１９よりもわずかに−Ｚ方向側に位置している。
そして、第１の突起１９の−Ｚ方向を向いた表面からなる第１の干渉面１９Ａと、第２の突起２０の＋Ｚ方向を向いた表面からなる第２の干渉面２０Ａとが、互いにＹ方向およびＺ方向にわずかに離れた位置に配置されている。
【００１９】
図５に示されるように、コネクタ用ハウジング１３は、Ｚ方向に延びる柱状のハウジング本体２１を有し、ハウジング本体２１の−Ｚ方向側部分の＋Ｙ方向端部および−Ｙ方向端部に、フレーム１２の一対のランス１５に対応した一対の凹状のランス収容部２２が形成され、これらのランス収容部２２の＋Ｚ方向端部に−Ｚ方向を向いたＸＹ面に平行なランス対向面２３が形成されている。ランス収容部２２は、コネクタ用ハウジング１３がフレーム１２に保持されたときに、フレーム１２の対応するランス１５を収容するものであり、ランス対向面２３は、コネクタ用ハウジング１３がフレーム１２に保持されたときに、フレーム１２の対応するランス１５の先端部１５Ａに対向するものである。
【００２０】
また、ハウジング本体２１の−Ｚ方向側部分の＋Ｘ方向端部および−Ｘ方向端部には、それぞれ、＋Ｘ方向および−Ｘ方向に張り出す張り出し部２４が形成されており、これらの張り出し部２４の＋Ｚ方向側の表面により、＋Ｚ方向を向いた平面状のハウジング側ストッパ２５が形成されている。これらのハウジング側ストッパ２５は、コネクタ用ハウジング１３がフレーム１２に保持されたときに、フレーム１２のフレーム側ストッパ１８に突き当たることで、コネクタ用ハウジング１３のＺ方向の位置を規制するものである。
【００２１】
さらに、ハウジング本体２１の＋Ｘ方向側の側面には、Ｚ方向に延び且つ＋Ｘ方向に突出する突出部２６が形成されている。この突出部２６は、ハウジング本体２１の−Ｘ方向側の側面には存在せず、コネクタ用ハウジング１３がフレーム１２に保持されたときに、フレーム１２の切り欠き１８Ａ内に挿入されることにより、フレーム１２への誤った組み立てを防止するものである。
【００２２】
図６に示されるように、コネクタ用ハウジング１３には、＋Ｚ方向に向かって開放された相手側コネクタ収容部２７が形成されると共に、導電性コンタクト２８が収容されている。導電性コンタクト２８は、二股に分かれて、それぞれ相手側コネクタ収容部２７内を＋Ｚ方向に延びる２つの先端部２８Ａを有しているが、これらの先端部２８Ａは、互いにＸ方向に離れており、図６では、互いに重なって１つの先端部２８Ａのみが見えている。
一対のランス収容部２２におけるコネクタ用ハウジング１３のＹ方向の厚さＴ１は、フレーム１２の一対のランス１５の先端部１５Ａ間の距離よりも小さい値に設定されており、ランス収容部２２より＋Ｚ方向側におけるハウジング本体２１のＹ方向の厚さＴ２は、フレーム１２の一対のばね部１４間の距離より小さく且つ一対のランス１５の先端部１５Ａ間の距離より大きい値に設定されているものとする。
【００２３】
フレーム１２にコネクタ用ハウジング１３を組み込む際には、図７に示されるように、コネクタ用ハウジング１３が、フレーム１２のコネクタ用ハウジング収容部１２Ａ内に−Ｚ方向から＋Ｚ方向に向けて挿入される。このとき、コネクタ用ハウジング１３のハウジング本体２１のＹ方向の厚さＴ２が、フレーム１２の一対のばね部１４間の距離より小さく且つ一対のランス１５の先端部１５Ａ間の距離より大きい値に設定されているので、ハウジング本体２１のＹ方向の両側面が、それぞれフレーム１２の対応するランス１５に接触し、ランス１５の先端部１５Ａに、コネクタ用ハウジング収容部１２Ａの外方に向かうＹ方向の力が作用する。これにより、ランス１５がＹ方向に弾性変形すると同時に、ランス１５を支持しているばね部１４が、Ｘ方向に延びるばね部１４の中心軸Ｃ１の周りに捻れると共に中心軸Ｃ１がＹ方向に撓むように弾性変形し、コネクタ用ハウジング１３のハウジング本体２１がフレーム１２の一対のランス１５の先端部１５Ａの間を通って＋Ｚ方向に前進する。
【００２４】
また、コネクタ用ハウジング１３のハウジング本体２１の＋Ｘ方向側の側面に形成された突出部２６が、フレーム１２の切り欠き１８Ａ内に挿入された状態で、コネクタ用ハウジング１３の挿入が行われる。従って、突出部２６が−Ｘ方向に突出するようなコネクタ用ハウジング１３の向きでは、突出部２６がフレーム１２のフレーム側ストッパ１８に干渉するために、コネクタ用ハウジング１３をフレーム１２のコネクタ用ハウジング収容部１２Ａ内に挿入することができず、コネクタ用ハウジング１３が誤った向きでフレーム１２に装着されることが防止される。
【００２５】
そして、コネクタ用ハウジング１３の一対のハウジング側ストッパ２５が、フレーム１２のフレーム側ストッパ１８に突き当たるまでコネクタ用ハウジング１３がフレーム１２のコネクタ用ハウジング収容部１２Ａ内に挿入されたところで、それ以上の＋Ｚ方向へのコネクタ用ハウジング１３の挿入が規制される。
【００２６】
このとき、図８に示されるように、フレーム１２の一対のランス１５が、それぞれ、コネクタ用ハウジング１３の対応するランス収容部２２内に収容される。一対のランス収容部２２におけるコネクタ用ハウジング１３のＹ方向の厚さＴ１は、フレーム１２の一対のランス１５の先端部１５Ａ間の距離よりも小さい値に設定されているため、それぞれのランス１５がランス収容部２２内に収容されることにより、ランス１５の弾性変形が解除され、ランス１５は、コネクタ用ハウジング１３を挿入する前の初期の状態に復帰し、ランス１５の先端部１５Ａがコネクタ用ハウジング１３のランス対向面２３に対向する状態となる。
ランス１５の先端部１５Ａがランス対向面２３に引っ掛かることにより、フレーム１２からのコネクタ用ハウジング１３の−Ｚ方向への抜け止めがなされる。
【００２７】
このようにして、コネクタ用ハウジング１３のハウジング側ストッパ２５とフレーム１２のフレーム側ストッパ１８との突き当たりにより＋Ｚ方向へのコネクタ用ハウジング１３の挿入が規制されると共に、ランス１５の先端部１５Ａがランス対向面２３に引っ掛かることにより−Ｚ方向へのコネクタ用ハウジング１３の抜け止めがなされ、コネクタ用ハウジング１３は、−Ｚ方向側部分がフレーム１２のコネクタ用ハウジング収容部１２Ａに挿入されるハウジング保持位置Ｐに位置した状態でフレーム１２に保持される。
【００２８】
ハウジング保持位置Ｐに位置するコネクタ用ハウジング１３は、＋Ｚ方向および−Ｚ方向への移動が規制されるが、図８に示されるように、ハウジング本体２１の側面とフレーム１２のコネクタ用ハウジング収容部１２Ａの縁部との間およびランス収容部２２の側面とフレーム１２のランス１５の先端部１５Ａとの間に所定の間隔が形成されているので、コネクタ用ハウジング１３の挿入方向に垂直なＸＹ面内においては、上記の間隔の範囲内で移動可能にフレーム１２に保持されている。すなわち、フレーム１２とコネクタ用ハウジング１３は、いわゆるフローティング構造を形成している。
【００２９】
なお、コネクタ用ハウジング１３がハウジング保持位置Ｐに位置するときには、フレーム１２の一対のランス１５および一対のばね部１４は、弾性変形しない初期の状態に復帰しているので、それぞれのばね部１４に形成された第１の干渉面１９Ａと、対応する対向壁部１６に形成された第２の干渉面２０Ａは、互いにＹ方向およびＺ方向にわずかに離れた位置にある。
【００３０】
ここで、ハウジング保持位置Ｐに位置するコネクタ用ハウジング１３とフレーム１２との間に互いに引き離そうとする力、例えば、ハウジング保持位置Ｐからコネクタ用ハウジング１３を引き抜こうとする力が作用したときには、フレーム１２の一対のランス１５の先端部１５Ａがコネクタ用ハウジング１３の一対のランス対向面２３に引っ掛かるが、力が大きい場合には、図９に示されるように、ランス１５の先端部１５Ａがコネクタ用ハウジング１３のランス対向面２３によって−Ｚ方向に持ち上げられる。
【００３１】
このとき、ランス１５の基端部がばね部１４に支持されているので、ばね部１４に、ばね部１４の中心軸Ｃ１の周りのモーメントが作用すると共に、対応する対向壁部１６に向かうＹ方向の力および−Ｚ方向に持ち上げようとする力が作用し、ばね部１４は、中心軸Ｃ１の周りに捻れながらＹ方向および−Ｚ方向に弾性変形して、ばね部１４に形成されている第１の干渉面１９Ａが、対応する対向壁部１６に形成されている第２の干渉面２０Ａに接触する。
【００３２】
このようにして、第１の干渉面１９Ａと第２の干渉面２０Ａが互いに干渉することにより、ばね部１４のさらなる弾性変形が規制され、コネクタ用ハウジング１３の−Ｚ方向への移動が抑制される。
また、コネクタ用ハウジング１３からランス１５の先端部１５Ａに作用した力が、ばね部１４に伝達され、さらに、第１の干渉面１９Ａを介して対向壁部１６の第２の干渉面２０Ａで受け止められるので、ランス１５およびばね部１４の変形量が抑制され、ランス１５およびばね部１４の破壊強度の向上がなされるという効果も奏することとなる。
【００３３】
この実施の形態に係るコネクタ１１においては、フレーム１２が、Ｘ方向に延びるばね部１４と、ばね部１４の表面上からＺ方向に延びるランス１５を有しているので、ランス１５のＺ方向の長さが短くても、ランス１５の弾性変形とばね部１４の弾性変形が同時に発生することで、ランス１５の先端部１５ＡをＹ方向に大きく変位させることができ、フレーム１２にコネクタ用ハウジング１３を堅固に保持しながらも、コネクタ用ハウジング１３の挿入方向であるＺ方向の長さの短いコネクタを実現することができる。
【００３４】
この実施の形態に係るコネクタ１１が嵌合される相手側コネクタ３１を図１０（Ａ）および（Ｂ）に示す。
相手側コネクタ３１は、フレーム３２と、フレーム３２の表面上に一体に突出形成されたコネクタ用ハウジング３３とを有している。フレーム３２は、図示しない相手側接続対象物に固定される板状部材で、フレーム３２の両端に、相手側接続対象物に固定するための一対の円形の貫通孔からなる固定部３４が形成されている。コネクタ用ハウジング３３は、板状のフレーム３２に対して垂直方向に延びる柱状部材で、互いに平行で且つフレーム３２に対して垂直方向に延びる２つの挿入孔３５を有し、これらの挿入孔３５内にそれぞれ導電性コンタクト３６が収容され保持されている。
【００３５】
使用時には、コネクタ１１がフレーム１２の一対の固定部１２Ｂを利用して図示しない接続対象物に固定され、相手側コネクタ３１がフレーム３２の一対の固定部３４を利用して図示しない相手側接続対象物に固定された状態で、相手側コネクタ３１のコネクタ用ハウジング３３が、コネクタ１１のコネクタ用ハウジング１３の相手側コネクタ収容部２７内に挿入されることにより、図１１（Ａ）および（Ｂ）に示されるように、コネクタ１１と相手側コネクタ３１とが互いに嵌合される。
【００３６】
このとき、コネクタ１１のコネクタ用ハウジング１３は、ＸＹ面内で移動可能にフレーム１２に保持されているため、接続対象物へのフレーム１２の固定位置および相手側接続対象物へのフレーム３２の固定位置のバラツキ、接続対象物と相手側接続対象物との相対位置のズレ等に起因して、フレーム１２および３２の間に位置ズレを生じていても、コネクタ用ハウジング１３がフレーム１２に対してＸＹ面内で移動することにより、コネクタ１１のコネクタ用ハウジング１３と相手側コネクタ３１のコネクタ用ハウジング３３との位置合わせがなされ、コネクタ１１を相手側コネクタ３１に嵌合させることができる。
【００３７】
コネクタ１１が相手側コネクタ３１に嵌合すると、コネクタ１１のコネクタ用ハウジング１３に保持されている導電性コンタクト２８の一対の先端部２８Ａが、相手側コネクタ３１のコネクタ用ハウジング３３に保持されている一対の導電性コンタクト３６にそれぞれ接触し、相手側コネクタ３１の一対の導電性コンタクト３６が、コネクタ１１の導電性コンタクト２８を介して互いに短絡する。これにより、嵌合したことを電気的に検知することができる。
【００３８】
なお、上記の実施の形態では、フレーム１２がばね部１４およびランス１５を備える一方、コネクタ用ハウジング１３がランス収容部２２およびランス対向面２３を備えているが、逆に、コネクタ用ハウジング１３にばね部１４およびランス１５を形成し、フレーム１２にランス収容部２２およびランス対向面２３を形成しても、同様にして、フレーム１２にコネクタ用ハウジング１３を堅固に保持しながらも、小型のコネクタを実現することが可能となる。
【００３９】
また、上記の実施の形態では、フレーム１２のばね部１４が、両端部を固定した梁形状を有しているが、これに限るものではなく、例えば、片持ち梁形状のばね部の表面上にランス１５を形成することもできる。
上記の実施の形態に係るコネクタ１１は、嵌合を電気的に検知するための嵌合検知用コネクタであるが、これに限るものではなく、同様にして、電気信号の接続に用いられる回路用コネクタにこの発明を適用することもできる。
【符号の説明】
【００４０】
１  コネクタ、２  フレーム、３  収容孔、４  コネクタ用ハウジング、５  突起、６  ランス、７  突き当たり面、８  相手側コネクタ、９  コネクタ用ハウジング、１１  コネクタ、１２，３２  フレーム、１２Ａ  コネクタ用ハウジング収容部、１２Ｂ，３４  固定部、１３，３３  コネクタ用ハウジング、１４  ばね部、１５  ランス、１５Ａ  先端部、１６  対向壁部、１７  スリット、１８  フレーム側ストッパ、１８Ａ  切り欠き、１９  第１の突起、１９Ａ  第１の干渉面、２０  第２の突起、２０Ａ  第２の干渉面、２１  ハウジング本体、２２  ランス収容部、２３  ランス対向面、２４  張り出し部、２５  ハウジング側ストッパ、２６  突出部、２７  相手側コネクタ収容部、２８，３６  導電性コンタクト、２８Ａ  先端部、３１  相手側コネクタ、３５  挿入孔、Ｐ  ハウジング保持位置、Ｃ１  中心軸、Ｔ１，Ｔ２  厚さ。
【図１】
0006376966.tif 000002
【図２】
0006376966.tif 000003
【図３】
0006376966.tif 000004
【図４】
0006376966.tif 000005
【図５】
0006376966.tif 000006
【図６】
0006376966.tif 000007
【図７】
0006376966.tif 000008
【図８】
0006376966.tif 000009
【図９】
0006376966.tif 000010
【図１０】
0006376966.tif 000011
【図１１】
0006376966.tif 000012
【図１２】
0006376966.tif 000013